(57)【要約】      （修正有）【課題】顔面の熱の保温性を高め、粘着性の高い美容料の美容効果を温熱作用によって向上させることができるフェイスマスクを提供する。【解決手段】ＰＥＴを素材とする可撓性を有する透明のシート体１の一方の面に、高熱反射層２及び着色層３をこの順に形成した。高熱反射層２は、例えばアルミ蒸着によって形成する。着色層３は、高熱反射層２の表面を高熱反射層３自体の色と異なる色で着色したものである。フェイスマスク１０は、透明のシート体１を通して高熱反射層２の裏面が鏡面として視認される。【選択図】図２
0003193638.tif 000002
【実用新案登録請求の範囲】
【請求項１】
可撓性を有する平面状のシート体であって、少なくとも一方の面を熱反射性の高い反射面としたシート体により構成したフェイスマスク。
【請求項２】
前記シート体の少なくとも一方の面に、熱反射性の高い高熱反射層を形成した請求項１に記載のフェイスマスク。
【請求項３】
前記シート体の反射面と異なる面を反射面と異なる色に着色した請求項１又は２に記載のフェイスマスク。
【請求項４】
前記シート体は、顔面の目及び口に対向する部分に孔部を形成し、顔面の鼻に対向する部分にＵ字状の切り込みを備えた請求項１乃至３のいずれかに記載のフェイスマスク。
【考案の詳細な説明】
【技術分野】
【０００１】
この考案は、可撓性を有する平板状のシート体を顔面の形状に合わせて裁断したフェイスマスクであって、クリームやジェル等の粘着性の高い美容料を顔面へ供給する際に顔面に載置して使用されるフェイスマスクに関する。
【背景技術】
【０００２】
従来、化粧水や美容液等の美容効果のある液体を顔面に塗布する際に、紙、織布又は不織布等の液体含浸性を有する素材からなるシート体のフェイスマスクが用いられる。フェイスマスクは、液体を含浸させた状態で顔面に載置される。
【０００３】
フェイスマスクを顔面に載置することで、フェイスマスクが含浸している化粧水等の液体を長時間にわたって顔面の皮膚に接触させることができ、液体の美容効果を十分に作用させることができるとされている（例えば、特許文献１参照。）。
【先行技術文献】
【特許文献】
【０００４】
【特許文献１】特開２００６−０２５８４７号公報
【考案の概要】
【考案が解決しようとする課題】
【０００５】
人体の皮膚に対する美容方法として、クリームやジェル等の粘着性の高い美容料を塗布した後、所定温度で保温することにより、温熱作用によって美容料の美容効果を高めるものが知られている。
【０００６】
しかし、従来のフェイスマスクは、液体含浸性を有する素材からなるシート体であるため、顔面に塗布されたクリームやジェル等の粘着性の高い美容料が塗布された顔面に載置すると、顔面に塗布された粘着性の高い美容料がシート体に奪われ、顔面に十分な美容効果を与えることができない。また、従来のフェイスマスクは、多孔質であるため、保温性に乏しく、顔面の熱がシート体を通して外部に放熱されてしまい、温熱作用による美容効果の向上も実現できない。
【０００７】
この考案の目的は、表面の熱反射性の高いシート体を用いることにより、顔面の熱の保温性を高め、粘着性の高い美容料の美容効果を温熱作用によって向上させることができるフェイスマスクを提供することにある。
【課題を解決するための手段】
【０００８】
この考案のフェイスマスクは、可撓性を有する平面状のシート体であって、少なくとも一方の面を熱反射性の高い反射面としたシート体により構成されている。
【０００９】
粘着性の高い美容料が塗布された顔面に反射面が対向するように載置すると、顔面の体温による熱がシート体の外部に放熱されることなく反射面で顔面に向けて反射し、顔面の皮膚温度が上昇する。
【００１０】
一例として、シート体は、１０μｍ程度の厚さのポリエチレンテレフタレート（ＰＥＴ）の少なくとも一方の表面を、アルミ蒸着、又は銀色若しくは金色の塗料を塗布して反射面とすることができる。
【００１１】
この構成において、シート体には、顔面の目及び口に対向する部分に孔部を形成し、顔面の鼻に対向する部分にＵ字状の切り込みを形成することが好ましい。使用者の呼吸や利便性を確保することができ、長時間にわたって顔面にシート体を載置することができる。
【００１２】
また、反射面は鏡面に形成することが好ましい。反射面における熱反射性を高めることができ、顔面に対する温熱作用を向上できる。
【考案の効果】
【００１３】
この考案によれば、顔面の熱の保温性を高め、粘着性の高い美容料の美容効果を温熱作用によって向上させることができる。
【図面の簡単な説明】
【００１４】
【図１】この考案の実施形態に係るフェイスマスクの平面図である。
【図２】同フェイスマスクの断面図である。
【図３】同フェイスマスクの使用時の状態を説明する断面図である。
【図４】（Ａ）〜（Ｃ）は、この考案の別の実施形態に係るフェイスマスクの断面図である。
【考案を実施するための形態】
【００１５】
図１に示すように、この考案の実施形態に係るフェイスマスク１０は、クリームやジェル等の粘着性の高い美容料が塗布された顔面に載置して用いられる。フェイスマスク１０は、人体の顔面の全面を被覆できるように、所定の形状及び大きさに裁断して形成されており、目部１１，１２、鼻部１３、口部１４、スリット１５〜１９が形成されている。
【００１６】
一対の目部１１，１２は、顔面における左右一対の目に対応し、各々が一例として横長の楕円形状の切り抜き孔で構成されている。一対の目部１１，１２は、上側又は下側に凸となるＵ字状であって各々の外側が上方になるように約１５度傾斜した切込線で構成することもできる。
【００１７】
鼻部１３は、顔面の鼻翼及び鼻孔に対応し、一例として略Ｕ字状の切込線で構成されている。口部１４は、顔面の口に対応し、一例として横方向に長い楕円形状の切り抜き孔で構成されている。口部１４は、上下非対称の形状とすることもできる。スリット１５〜１９は、顔面の頬部及び顎部に対向する位置で、フェイスマスク１０の周縁から中心に向かって形成されている。
【００１８】
図２に示すように、フェイスマスク１０は、一例として、１２μｍ程度の厚さのＰＥＴを素材とする可撓性を有する透明のシート体１の一方の面に高熱反射層２及び着色層３をこの順に形成したものである。高熱反射層２は、例えばアルミ蒸着によって形成することができる。高熱反射層２は、銀色や金色等の塗料を塗布することでも形成することができる。
【００１９】
着色層３は、高熱反射層２の表面を高熱反射層３自体の色と異なる色で着色したものであり、フェイスマスク１０の表裏面の識別のために用いられる。なお、着色層３は、省略することもできる。
【００２０】
フェイスマスク１０を図２中下方に位置する裏面側から見ると、透明のシート体１を通して高熱反射層２の裏面が鏡面として視認される。したがって、図２におけるフェイスマスク１０の下側の面が、この発明の反射面である。
【００２１】
図３に示すように、フェイスマスク１０は、粘着性の高い美容料３０が塗布された顔面２０に載置される。顔面２０の体温による熱は、美容料３０に伝導した後にフェイスマスク１０のシート体１を通して高熱反射層２に達する。高熱反射層２は熱反射量が十分に高いため、美容料３０からの熱は、フェイスマスク１０の外側には殆ど放熱されることなく、顔面２０に向けて反射され、美容料３０に蓄積される。顔面２０に対する美容料３０の美容効果が温熱作用によって向上する。
【００２２】
図４（Ａ）に示すように、フェイスマスク１１０は、不透明の素材で構成したシート体１０１の表面に高熱反射層２を形成し、シート体１０１の裏面に着色層３を形成したものである。
【００２３】
図４（Ｂ）に示すように、フェイスマスク２１０は、それ自体が高熱反射層２と異なる色に着色されたシート体２０１を用いることで、着色層３を省略したものである。
【００２４】
図４（Ｃ）に示すように、フェイスマスク３１０は、シート体３０１の表裏両面に高熱反射層２を形成し、どちらの面も使用できるようにしたものである。
【００２５】
上述の実施形態の説明は、すべての点で例示であって、制限的なものではないと考えられるべきである。本考案の範囲は、上述の実施形態ではなく、実用新案登録請求の範囲によって示される。さらに、本考案の範囲には、実用新案登録請求の範囲と均等の意味および範囲内でのすべての変更が含まれることが意図される。
【符号の説明】
【００２６】
１−シート体
２−高反射率層
３−着色層
１０−フェイスマスク
１１，１２−目部
１３−鼻孔部
１４−口部
１５〜１９−スリット
【図１】
0003193638.tif 000003
【図２】
0003193638.tif 000004
【図３】
0003193638.tif 000005
【図４】
0003193638.tif 000006
【手続補正書】
【提出日】平成26年8月11日(2014.8.11)
【手続補正１】
【補正対象書類名】実用新案登録請求の範囲
【補正対象項目名】全文
【補正方法】変更
【補正の内容】
【実用新案登録請求の範囲】
【請求項１】
可撓性を有する平面状のシート体であって、少なくとも一方の面を鏡面の反射面としたシート体により構成したフェイスマスク。
【請求項２】
透明の前記シート体の少なくとも一方の面であって前記反射面の反対側の面に、アルミ蒸着又は銀色若しくは金色の塗料の塗布によって高熱反射層を形成した請求項１に記載のフェイスマスク。
【請求項３】
前記シート体の反射面と異なる面を反射面と異なる色に着色した請求項１又は２に記載のフェイスマスク。
【請求項４】
前記シート体は、顔面の目及び口に対向する部分に孔部を形成し、顔面の鼻に対向する部分にＵ字状の切り込みを備えた請求項１乃至３のいずれかに記載のフェイスマスク。